(57)【要約】【課題】  如何に解像度が向上しようとも、容易に複製し再現できない包装用印刷物の提供。【解決手段】  印刷が施された包装材の表面の一部に、透明な識別デザイン１を印刷した複製阻害部を備えることによって、透明な識別デザイン１を目視によって検出し、当該商品の真贋を判別することができると共に、それ自体が透明であることや、それ自体がその仮想に存在する印刷に歪みを与えることによって色彩の機械的検出による複製を困難にすることができる包装用印刷物。【選択図】      図１
2018203352.tif 000002
【特許請求の範囲】
【請求項１】
印刷が施された包装材の表面の一部に、透明な識別デザインを印刷した複製阻害部を備えることを特徴とする包装用印刷物。
【請求項２】
前記識別デザインは、透明塗料の盛り量の相違による高低を有する請求項１に記載の包装用印刷物。
【請求項３】
前記識別デザインは、ドットパターン、スリットパターン又はマイクロ文字の印刷領域に印刷されていることを特徴とする請求項１又は請求項２のいずれかに記載の包装用印刷物。
【請求項４】
前記識別デザインは、包装材に施された印刷の輪郭に沿って印刷されていることを特徴とする請求項１乃至請求項３のいずれかに記載の包装用印刷物。
【発明の詳細な説明】
【技術分野】
【０００１】
本発明は、商品を包装する際に用いられる印刷物であって、特に、複製防止措置が施された包装用印刷物に関する。
【背景技術】
【０００２】
商品パッケージの分野では、企業の創意工夫の賜物であるデザインや技術を駆使して顧客吸引力や自他商品識別力の高いパッケージの採用に心血を注いでいる。
一方で、優れたデザインの偽造や複製が横行し、営業努力の結果獲得した市場の喪失や、同パッケージでの不良品の横行による信頼の喪失が、真っ当な事業を行っている者の利益を損ねている。
【０００３】
この様な実態に対抗して、スリットパターン若しくはドットパターン構造を採り潜像情報を印刷する手法（例えば下記特許文献１及び特許文献２参照）や、マイクロ文字（例えば下記特許文献３参照）若しくは観察する方向に応じて認識できる潜像情報（例えば下記特許文献４参照）を印刷する手法などが紹介されている。
【先行技術文献】
【特許文献】
【０００４】
【特許文献１】特開２００１−１３０１２５号公報
【特許文献２】特開２０１５−２２１５１８号公報
【特許文献３】特開２００４−２７６５６０号公報
【特許文献４】特開２００３−０１１４８４号公報
【発明の概要】
【発明が解決しようとする課題】
【０００５】
しかしながら、いかに前記の如く偽造防止措置を施そうとも、撮像時の解像度や印刷時の解像度の向上などの技術の向上とも相俟って複製物の精密さも年々高まり、細密なドットや文字にあってもそこに色の相違がある限り精密に再現され、正常な市場活動を阻害する情況が未だに続いているという問題がある。
【０００６】
本発明は、上記実情に鑑みて為されたものであって、如何に解像度が向上しようとも容易に複製し再現できない包装用印刷物の提供を目的とする。
【課題を解決するための手段】
【０００７】
上記課題を解決すべく為された本発明による包装用印刷物は、印刷が施された包装材の表面の一部に、透明な識別デザインを印刷した複製阻害部を備えることを特徴とする。
【０００８】
前記識別デザインは、透明塗料の盛り量の相違による高低を与えることができる他、前記識別デザインは、ドットパターン、スリットパターン又はマイクロ文字の印刷領域や、包装材に施された印刷の輪郭に沿って印刷した構成を採ることができる。
【発明の効果】
【０００９】
本発明による包装用印刷物によれば、透明な識別デザインを目視によって認識し、当該商品の真贋を判別することができる。
一方、偽造を図る側に立てば、色彩の相違により印刷が施されたドットパターン、スリットパターン又はマイクロ文字が高解像度で撮像されたとしても、透明な識別デザインまでをも複製することは困難である。
また、前記識別デザインは、透明塗料の盛り量の相違による高低を与えることにより、当該盛り量のパターンによって、当該識別デザインの真贋をも判定することができる。
【００１０】
前記識別デザインを、ドットパターン、スリットパターン又はマイクロ文字の印刷領域に印刷し、又は包装材に施された印刷の輪郭に沿って印刷することによって、偽造を図る者にとって、その読み取りが困難となるのみならず、高解像度で撮像した際に、当該部分に透明な識別デザインによる光学的な歪を与え、精密な撮像及び複製を阻害することができる。
一方、真正の商品にあっては、当該識別デザインの下に潜像情報が現実に印刷されているため、目視（拡大鏡やフィルタを用いる場合を含む）により確認することができる。
【図面の簡単な説明】
【００１１】
【図１】本発明による包装用印刷物の複製阻害部の一例を示す平面図である。
【図２】本発明による包装用印刷物の複製阻害部を例示する側面図である。
【図３】本発明による包装用印刷物の複製阻害部の一例を示す平面図である。
【図４】本発明による包装用印刷物の複製阻害部の一例を示す平面図である。
【図５】本発明による包装用印刷物の実施態様例を示す平面図である。
【図６】従来の潜像情報の印刷例を示す平面図である。
【図７】従来の潜像情報の印刷例を示す平面図である。
【発明を実施するための形態】
【００１２】
以下、本発明による包装用印刷物の実施の形態を、包装用箱及びそのブランクシートを包装材として適用する例に基づき詳細に説明する。
ここで示す包装用箱は、一枚のブランクシートを直方体状に組み立てそのいずれかの面に開封部を設けてなる包装用箱である。
【００１３】
当該包装用箱は、筒状に連結した方形状の四側面ａ，ｂ，ｃ，ｄ並びに当該四側面ａ，ｂ，ｃ，ｄに囲まれた開口部を封じる天部Ａ及び底部Ｂを備える。
当該包装用箱は、前記四側面ａ，ｂ，ｃ，ｄの一方の端に連続して、他方の端に位置する端側面ａの裏側に重なる裏支持片ｅを備える。
【００１４】
当該包装用箱は、前記端側面ａ及び当該端側面ａに対向する側面ｃに、前記天部Ａ又は底部Ｂを構成するフラップｆを延設し、前記端側面ａの中間部に、当該端側面ａの端縁を一辺とするタグ部Ｔを備え、前記タグ部Ｔの周囲３辺に切込Ｓを備える。
前記裏支持片ｅは、その中間部に前記タグ部Ｔの全幅にわたって重なる目隠し部Ｃを備え、その周囲三方に前記タグ部Ｔの周囲に糊付される糊代Ｄを備える。
【００１５】
前記天部Ａ及び前記底部Ｂは、例えば、前記端側面ａ及び当該端側面ａに対向する側面ｃの端縁から延出するフラップｆと、それらを除く他の側面ｂ，ｄのいずれか一方又は双方の端縁から延出する蓋片ｇとで構成される。
前記底部Ｂは、前記四側面ａ，ｂ，ｃ，ｄの下縁からそれぞれ延出する封鎖片（再封機能を持たず専ら封鎖するだけのもの）を組み合わせて構成しても良い。
【００１６】
[ブランクシート]
上記包装用箱を組み立てるために、そのブランクシートは、一列に連結した四側面ａ，ｂ，ｃ，ｄ並びに当該四側面ａ，ｂ，ｃ，ｄで形成される方形状の開口部を封じる天部Ａ及び底部Ｂと、前記端側面ａの裏側に重なる裏支持片ｅを備え、前記端側面ａ及び前記側面ｃに前記天部Ａ又は前記底部Ｂを構成するフラップｆを各々延設し、前記端側面ａの中間部に、当該端側面ａの端縁を一辺とするタグ部Ｔを備え、前記タグ部Ｔの周囲３辺に切込Ｓを備え、前記裏支持片ｅは、その中間部に前記タグ部Ｔの全幅にわたって重なる目隠し部Ｃを備えると共に、その周囲三方に前記タグ部Ｔの周囲に糊付される糊代Ｄを備える構成が必要となる（例えば図５参照）。
【００１７】
この例のブランクシートは、その表面に、商品の属性や性状などを示し、且つ他の商品との差別化等を図るデザインが印刷されている。
その印刷は、インクジェット方式等の手法によって、裸眼で可視可能なドットパターン、又は裸眼では可視困難なドットパターンで、濃淡（密度）や色彩の調整がなされた描画（網点印刷）が施されている。
【００１８】
この例では、ドットパターンの濃度が一定とされた（以下「定濃度」という）領域の一部にドット配列による潜像情報の印刷が施されており（例えば図６参照）、デザインに含まれるエッジの一部にマイクロ文字の印刷を施すこともできる（例えば図４参照）。
また、この例では、印刷が施されたブランクシートの表面の一部に、透明で隆起した識別デザイン１が印刷されている（例えば図１及び図５参照）。
前記識別デザイン１を印刷する際に用いられる塗料は、顔料を含まず、乾燥時において光透過性を有し、且つ乾燥前の粘度が比較的高いワニスやクリアー等であって、それらをインクジェット方式等により所望のデザインで吹き付けることによって印刷される。
【００１９】
具体例として、当該包装用箱のブランクシートは、紙２の表面に下地印刷を施し、当該下地印刷の上に眼では可視困難なドットパターンによる定濃度の網点印刷又は階調表現（グラデーション）を施した網点印刷を施し、更にその上に、当該商品の製造販売元を表すテキストが印刷され、当該製造元の印刷に重ねて複数の透明で隆起した横ストライプでＴ字状の識別デザイン１が印刷されている（この様に透明で隆起した識別デザイン１の重ね印刷が施されている部分を「複製阻害部」という）。
【００２０】
この様な複製阻害部の存在によって、目視であれば視線を変化させて、拡大鏡やフィルタを適宜介在しつつ潜像情報や識別デザイン１を読み取ることはできるものの、視線が規制されたスキャナー等の撮像装置では、透明な識別デザイン１を鮮明に読むことはできず、透明な当該識別デザイン１に覆われた部分のドットパターンも不鮮明又は読み取り不能となる。
【００２１】
前記識別デザイン１を、ドットパターン又はマイクロ文字の印刷領域に印刷すると、前記潜像情報を表すドットパターン、マイクロ文字及び製造元を表すテキストは、いずれも、前記透明な識別デザイン１に覆われたことによる光学的な歪が生じ、又は不鮮明となり複製の支障又は複製の証拠となる（例えば図３参照）。
【００２２】
また、前記識別デザイン１に、透明塗料の盛り量の相違による高低を、周期的に又は一定のパターンで与えることによって、複製時における歪の量に変化を与えることができ、またそのパターンは、複製の証拠能力を高めることともなる（図２参照）。
尚、前記識別デザイン１に覆われる部分は、無地であってもよく、前記ドットパターンに代えてスリットパターンを採用し、又は双方を併用することも可能である。
また、前記識別デザイン１を、包装材に施された印刷の輪郭上、又は当該輪郭に沿って印刷すれば、上記効果に加えて、当該識別デザイン１の存在を輪郭に同化させる効果を得ることもできる（例えば図４参照）。
【００２３】
なお、この発明は上記実施例に限定されるものではなく、前記識別デザイン１の形態又は重ね印刷の態様は、前記複製阻害機能、前記下地不鮮明化機能及び証拠機能を損なわない限りにおいて適宜変更することが可能である。
包装材の形態にあっても、箱、袋又は包装紙などに適宜設計変更が可能であり、包装材の材質にあっても、紙１やプラスチック等、自由に選択可能である。
【符号の説明】
【００２４】
Ａ  天部，Ｂ  底部，Ｃ  目隠し部，Ｄ  糊代，
Ｔ  タグ部，Ｓ  切込，
１  識別デザイン，２  紙，
ａ  端側面，ｂ  側面，ｃ  側面，ｄ  側面，
ｅ  裏支持片，ｆ  フラップ，ｇ  蓋片，
【図１】
2018203352.tif 000003
【図２】
2018203352.tif 000004
【図３】
2018203352.tif 000005
【図４】
2018203352.tif 000006
【図５】
2018203352.tif 000007
【図６】
2018203352.tif 000008
【図７】
2018203352.tif 000009